(57)【要約】【課題】左右両開き式のエレベータドアにおいて異物が敷居溝に落ちることなく排出することによりエレベータドアの故障の発生頻度を低減できるエレベータドア敷居溝の異物排出装置を提供する。【解決手段】エレベータドア敷居溝の異物排出装置６０は、左右の扉２２，２４に対応して敷居溝が右側敷居溝５２および左側敷居溝５４に分離されており、各敷居溝５２，５４には各排出ベルトユニット６１，６２が設けられ、各排出ベルトユニット６１，６２は、各敷居溝の敷居上面よりも下側となる位置を覆うように返しローラの間に掛け渡され、各ドアシューを各敷居溝に挿入するための開口部が形成され、左右の扉２２，２４に連動して各敷居溝５２，５４に対して往復移動して異物を敷居溝５２，５４の外へ排出する排出ベルトとを有している。【選択図】図４
2016204139.tif 000002
【特許請求の範囲】
【請求項１】
左右両開き式のエレベータドアのドアシューが往復移動する敷居溝への異物の混入を防止する装置であって、
前記敷居溝はエレベータドアに対応して右側敷居溝と左側敷居溝とに分離され、
各敷居溝には排出ベルトユニットが設けられ、
前記各排出ベルトユニットは、
前記敷居溝の長手方向の両端部外側に設けられた返しローラ対と、
前記敷居溝の敷居上面よりも下側となる位置を覆うように返しローラ対の間に架け渡され、前記ドアシューを前記敷居溝に挿入するための開口部が形成され、エレベータドアの開閉動作に連動して前記敷居溝に対して往復移動して異物を前記敷居溝外へ排出する排出ベルトと、を有していることを特徴とするエレベータドア敷居溝の異物排出装置。
【請求項２】
請求項１に記載のエレベータドア敷居溝の異物排出装置において、
前記両敷居溝が対向する前記敷居上面には敷居カバーが設けられている、ことを特徴とするエレベータドア敷居溝の異物排出装置。
【請求項３】
請求項１または２に記載のエレベータドア敷居溝の異物排出装置において、
前記ベルトに接触するように配置された清掃ブラシと、
前記清掃ブラシを囲むように配置されたダストボックスと、
をさらに備えていることを特徴とするエレベータドア敷居溝の異物排出装置。
【請求項４】
請求項１から３のいずれか１項に記載のエレベータドア敷居溝の異物排出装置において、
前記ベルトの幅方向における両端部は、前記敷居溝の両側面に設けられたガイド溝に前記敷居溝の長手方向に沿って移動可能に挿入されていることを特徴とするエレベータドア敷居溝の異物排出装置。
【発明の詳細な説明】
【技術分野】
【０００１】
本発明は、左右両開き式のエレベータドア敷居溝の異物排出装置、特に、敷居溝に異物が混入することを防止する装置に関する。
【背景技術】
【０００２】
一般に、乗り場側およびかご側のエレベータドアは、いずれも乗降口の直上方に配置されたハンガーレールに吊り下げられるとともに、下端部に取り付けられたドアシューが敷居溝をスライドして開閉するように構成されている。このようなエレベータにおいて、敷居溝に小石等の異物が入り込むと開閉時に異物がエレベータドアに挟まって故障の原因となるため、異物を昇降路へ落し込むための貫通孔を敷居溝に設けているエレベータも多い。
【０００３】
特許文献１には、敷居溝中央に異物排出用の貫通孔を設けておき、エレベータドアの戸閉動作に伴ってドアシューが敷居溝に入り込んだ異物を貫通孔へ押し出して排出するとともに、完全に戸開した状態ではエレベータドアの開閉動作に連動して敷居溝を往復移動するベルトが上記貫通孔を塞ぐことにより、利用者の落し物等が貫通孔から昇降路内に落下することを防止するエレベータドアの異物排出装置が開示されている。
【先行技術文献】
【特許文献】
【０００４】
【特許文献１】特開２０１０-２６０６９９号公報
【発明の概要】
【発明が解決しようとする課題】
【０００５】
上記特許文献１に開示されたエレベータドアの異物排出装置では、戸開時には小石等の異物が一旦敷居溝に入り込むため、敷居溝とドアシューとの間に異物が挟まれ易くエレベータドアが故障し易いという問題がある。
【０００６】
本発明の目的は、左右両開き式のエレベータドアにおいて異物が敷居溝に落ちることなく排出することによりエレベータドアの故障の発生頻度を低減できるエレベータドア敷居溝の異物排出装置を提供することにある。
【課題を解決するための手段】
【０００７】
本発明に係るエレベータドア敷居溝の異物排出装置は、左右両開き式のエレベータドアのドアシューが往復移動する敷居溝への異物の混入を防止する装置であって、敷居溝はエレベータドアに対応して右側敷居溝と左側敷居溝とに分離され、各敷居溝には排出ベルトユニットが設けられ、各排出ベルトユニットは、敷居溝の長手方向の両端部外側に設けられた返しローラ対と、敷居溝の敷居上面よりも下側となる位置を覆うように返しローラ対の間に架け渡され、ドアシューを敷居溝に挿入するための開口部が形成され、エレベータドアの開閉動作に連動して敷居溝に対して往復移動して異物を敷居溝外へ排出する排出ベルトと、を有していることを特徴とするものである。
【０００８】
本発明に係るエレベータドア敷居溝の異物排出装置において、両敷居溝が対向する敷居上面には敷居カバーが設けられていることが好適である。
【０００９】
また、本発明に係るエレベータドア敷居溝の異物排出装置において、ベルトに接触するように配置された清掃ブラシと、清掃ブラシを囲むように配置されたダストボックスと、をさらに備えていることが好適である。
【００１０】
さらに、本発明に係るエレベータドア敷居溝の異物排出装置において、ベルトの幅方向における両端部は、敷居溝の両側面に設けられたガイド溝に敷居溝の長手方向に沿って移動可能に挿入されていることが好適である。
【発明の効果】
【００１１】
本発明に係るエレベータドア敷居溝の異物排出装置によれば、左右両開き式のエレベータドアに対応して設けられた各敷居溝に入り込んだ小石等の異物はエレベータドアの開閉動作に連動して各敷居溝を往復移動する排出ベルトによって各敷居溝の外へ排出される。その結果、ドアシューと各敷居溝との間に異物が挟まり難くエレベータドアにおける故障の発生頻度を低減できる。
【図面の簡単な説明】
【００１２】
【図１】本発明に係る実施の形態であるエレベータドア敷居溝の異物排出装置が適用されるエレベータの全体構成を示す図である。
【図２】図１に示す乗り場扉の昇降路側の構成を示す図である。
【図３】図２に示す乗り場扉の戸開時の状態を示す図である。
【図４】図２に含まれるエレベータドア敷居溝の異物排出装置の全体構成を示す部分拡大図である。
【図５】図３に示すＡ-Ａ断面図である。
【図６】図４に示すＢ-Ｂ断面における右側敷居溝の構成を示す部分拡大図である。
【図７】図６に含まれる敷居上面および排出ベルトの一部の図示を省略して示す図である。
【図８】図６に示すＣ−Ｃ断面図である。
【図９】本発明の実施の形態であるエレベータドア敷居溝の異物排出装置の変形例の構成を示す図である。
【発明を実施するための形態】
【００１３】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１４】
図１は、本発明に係る実施の形態であるエレベータドア敷居溝の異物排出装置が適用されるエレベータ１０の全体構成を示す図である。図1では、乗りかご及びカウンタ錘をそれぞれ上下方向に移動自在に支持するガイドレールの図示を省略している。
【００１５】
エレベータ１０は、昇降路Ｓの下端側であるピットＰに配置された巻上機１２を備えている。巻上機１２は、主ロープ１８を介して乗りかご１４およびカウンタ錘１６を相対的に昇降させる。
【００１６】
乗りかご１４の天井には、吊車１４ａが主ロープ１８を架け渡すために設けられている。
【００１７】
カウンタ錘１６は、巻上機１２が乗りかご１４を引き揚げるときの負荷を軽減するための釣り合い重りである。
【００１８】
主ロープ１８は、その一端が昇降路Ｓの天井Ｒにボルト等で固定され垂下して乗りかご１４の吊車１４ａを経てから天井Ｒの返し車１８ａを経由し下方に位置する巻上機１２に至るように架け渡されている。また、主ロープ１８の他端も巻上機１２から天井Ｒの返し車１８ｂを経由して下方のカウンタ錘１６の吊車１６ａに架け渡されてから昇降路Ｓの天井Ｒにボルト等で固定されている。
なお、本実施形態では、巻上機１２がピットＰに配置される構成のエレベータ１０を例に挙げて説明しているが、本発明はこれに限定されるものではない。例えば、昇降路Ｓの直上に設けられた機械室内に巻上機１２が配置されるエレベータにも適用することができる。
【００１９】
乗りかご１４の開閉扉１４ｂは左右両開き方式の扉であり、各階の乗り場Ｈに設置された乗り場扉２０と対向するように前面側に設けられている。
【００２０】
図２は、図１に示す乗り場扉２０の戸閉状態における昇降路Ｓの方から見た構成を示す図である。図３は、図２に示す乗り場扉２０の戸開時の構成を示す図である。
【００２１】
各階のエレベータの乗り場Ｈに設けられた乗降口１９には、例えば左右両開き方式の乗り場扉２０が設置されている。乗り場扉２０は、右扉２２と左扉２４とから構成されている。右扉２２および左扉２４はほぼ同一の構成を備えるため、右扉２２についてのみ説明を行い、左扉２４については説明を省略する。右扉２２は、乗降口１９の直上方の壁面Ｗに固定されたハンガーレール２６に吊り下げ用ローラ３２を介して左右方向に移動可能にそれぞれ吊り下げられている。
【００２２】
吊り下げ用ローラ３２は、右扉２２の上端に設けられたドアハンガ３４の両端側にそれぞれ配置されている。右扉２２は、乗りかご１４が対応階に来た時に作動する係合部（不図示）を有し、この係合部が乗りかご１４の開閉扉１４ｂに係合することによって開閉する。右扉２２は、図２および図３に示すように、ドアハンガ３４の直上に設置された連動ループ機構３６を介して左扉２４と連結されている。この連動ループ機構３６は、ドアハンガ３４の両端に回転自在に支持された連動用ローラ３７と、この連動用ローラ３７の間に架設された連動ループ３８とから構成されている。右扉２２は、ジョイント４１を介して連動ループ３８の上部に連結されており、左扉２４はジョイント４２を介して連動ループ３８の下部に連結されている。上記構成により、図２および図３に示すように、左右の扉２２，２４を互いに反対方向に移動させて両開き式に開閉させることができる。
【００２３】
右扉２２の下端部には、ドアシュー４４ａ，４４ｂを連結するための連結部２２ａ，２２ｂが両端側に設けられており、各連結部２２ａ，２２ｂは図示しないボルト等によってドアシュー４４ａ，４４ｂに連結されている。各ドアシュー４４ａ，４４ｂは、敷居５０をスライドするように配置されている。
【００２４】
エレベータ１０は、敷居５０から小石等の異物を排出するエレベータ敷居溝の異物排出装置６０を備えている。以下、図４〜６を用いて異物排出装置６０について説明する。図４は、図２に含まれる異物排出装置６０の全体構成を示す部分拡大図である。図５は、図３に示すＡ‐Ａ断面における右側敷居溝の構成を示す図である。図６は、図４に示すＢ-Ｂ断面における右側敷居溝の構成を示す図である。
【００２５】
異物排出装置６０が設置される敷居５０には、右扉２２のドアシュー４４ａ，４４ｂが往復移動する右側敷居溝５２と、左扉２４のドアシューが往復移動する左側敷居溝５４とが設けられている。
【００２６】
異物排出装置６０は、図４に示すように、右側敷居溝５２および左側敷居溝５４に対応する右側排出ベルトユニット６１および左側排出ベルトユニット６２を有している。各排出ベルトユニット６１，６２は、ほぼ同一の構成を備えるため、右側排出ベルトユニット６１についてのみ説明を行い、左側排出ベルトユニット６２については説明を省略する。
【００２７】
右側排出ベルトユニット６１は、右側敷居溝５２の長手方向の端部両側に設けられた一対の返しローラ６３，６４と、返しローラ６３，６４の間に架け渡された排出ベルト６６と、右側敷居溝５２の端部両側および中間部の下側に配置された複数の支持ローラ６８とを備えている。
【００２８】
返しローラ６３は右側敷居溝５２の左側端部に隣接する位置に設けられ、排出ベルト６６が脱落しないように外周面の両端部が径方向に突き出すフランジ形状（図８参照）を有している。返しローラ６４は右側敷居溝５２の右側端部に隣接する位置に設けられ、返しローラ６３と同様にフランジ形状を有している。返しローラ６３，６４は、壁面Ｗに固定支持された各支持軸６５に回転自在に支持されている。
【００２９】
排出ベルト６６は、図５に示すように、右側敷居溝５２を覆うように設けられており、幅方向の両端部が右側敷居溝５２の両側面に形成されたガイド溝５５に案内される無端状のベルトである。これにより、排出ベルト６６が移動する際に浮き上がらないようにしている。本実施形態では、ガイド溝５５を右側敷居溝５２の両側面に設けているが、いずれか一方の側面だけに設けるようにしてもよい。
【００３０】
また、排出ベルト６６はポリエチレンや塩化ビニール等の帯電し易い素材を用いてもよい。これにより、塵埃が排出ベルト６６に付着し易く敷居５０の周辺の塵埃を効率良く取り除くことができる。
【００３１】
排出ベルト６６には、図６に示すように、上述した右扉２２のドアシュー４４ａ，４４ｂの位置に対応して略長方形状の開口部６６ａ，６６ｂが形成されている。保守点検時等には、この開口部６６ａ，６６ｂを通して連結部２２ａ，２２ｂに連結されているドアシュー４４ａ，４４ｂを交換する必要があるため、開口部６６ａ，６６ｂはドアシュー４４ａ，４４ｂとほぼ同じ大きさに形成されている。また、図５に示すように、排出ベルト６６は、その下面がドアシュー４４ａ，４４ｂの上面と接触するようにガイド溝５５によって保持されているため、ドアシュー４４ａ，４４ｂによって開口部６６ａ，６６ｂは閉じられた状態となる。これにより、小石等の異物が開口部６６ａ，６６ｂから右側敷居溝５２に入り込まないようにしている。なお、開口部６６ａ，６６ｂは右扉２２の直下方に設けられているため小石等の異物が入り込み難くなっている。
【００３２】
なお、図には詳細に示していないが、ドアシュー４４ａ，４４ｂの上面には固定用金具が連結部２２ａ，２２ｂに沿うように上方に突き出しており、排出ベルト６６よりも上方の位置でボルトによって連結部２２ａ，２２ｂに固定されている。
【００３３】
開口部６６ａ，６６ｂの外側側面ｅ，ｆは、連結部２２ａ，２２ｂの外側端面にそれぞれ接触するように設けられており、戸開方向および戸閉方向のどちらに連結部２２ａ，２２ｂが移動しても排出ベルト６６を一緒に移動させることができる。
【００３４】
複数の支持ローラ６８は、図５に示すように、排出ベルト６６が自重で撓まないように左右方向に移動自在に支持する機能を有し、壁面Ｗに固定された支持棒６９に回転自在にそれぞれ支持されている。
【００３５】
図７は、両敷居溝５２，５４の間に返しローラ６３を配置する設置スペース５８の構成を敷居上面５０ａおよび排出ベルト６６の一部の図示を省略して示す図である。設置スペース５８は、両敷居溝５２，５４の間に設けられた略直方体状の空間である。設置スペース５８は、壁面Ｗ側および下側に開口するように形成され、壁面Ｗに対向する側面ａは両敷居溝５２，５４よりも昇降路Ｓの中心側に形成されている。設置スペース５８の左右両側面ｂ，ｃには、両敷居溝５２，５４に連通する開口が形成されている。これにより、排出ベルト６６を右側敷居溝５２から返しローラ６３の方へ通すことができる。また、図６に示すように、設置スペース５８の上面ｄには、両敷居溝５２，５４を直線的に結ぶ略長方形状の開口が形成されており、この開口を塞ぐように金属製板材である敷居カバー５６が嵌め込まれている。上面ｄの残余の部分、すなわち、敷居カバー５６よりも昇降路Ｓの中心側の部分と乗り場Ｈ側の部分は敷居上面５０ａによって覆われている。
【００３６】
図８は、図６に含まれるダストボックスと清掃ブラシの構成を示すＣ-Ｃ断面図である。右側排出ベルトユニット６１は、図４に示すように、返しローラ６３，６４の直下方に配置されたダストボックス７０，７１と、このダストボックス７０，７１の内部に設置された清掃ブラシ７２，７３とを備えている。
【００３７】
ダストボックス７０は、図８に示すように、上面が開口した箱形状を呈しており、設置スペース５８の直下方の壁面Ｗに固定支持されたブラケット７４にボルト等を介して着脱可能に固定されている。ダストボックス７１は、返しローラ６４の直下方に配置されており、ダストボックス７０と同様の構成を備えている。清掃ブラシ７２は、ダストボックス７０の底面に固定されており、先端が排出ベルト６６の表面に接触するように配置されている。また、このダストボックス７０には、清掃ブラシ７２と同一の構成を備えた清掃ブラシが左側排出ベルトユニット６２の返しローラの直下方にも設けられている。清掃ブラシ７３は、清掃ブラシ７２と同一の構成を備え、先端が排出ベルト６６の表面に接触するようにダストボックス７１に配置されている。
【００３８】
上記構成により、右側排出ベルトユニット６１の排出ベルト６６および左側排出ベルトユニット６２の排出ベルトの表面に付着した塵埃や小石等の異物をダストボックス７０，７１に回収することができる。
【００３９】
清掃ブラシ７２は、ガラス繊維を含むナイロン等の素材によって形成してもよい。このように、清掃ブラシ７２を正極に帯電し易いガラス繊維を含むナイロン素材とし、排出ベルト６６を上述したように負極に帯電し易いポリエチレンや塩化ビニール等の素材とした場合には、排出ベルト６６に静電気の力で付着した塵埃が清掃ブラシ７２に吸着し易くなり効率良く塵埃を回収することができる。
【００４０】
本発明に係るエレベータドア敷居溝の異物排出装置６０によれば、右側敷居溝５２に入り込んだ小石等の異物は乗り場扉２０の開閉動作に連動して右側敷居溝５２を往復移動する右側排出ベルトユニット６１によって右側敷居溝５２の外へ排出される。そのため、ドアシュー４４ａ，４４ｂと右側敷居溝５２との間に異物が挟まり難くすることができる。同様に、左側排出ベルトユニット６２によって左側敷居溝５４からも異物が排出され、ドアシューと左側敷居溝５４との間に異物が挟まり難くすることができる。その結果、乗り場扉２０における故障の発生頻度を低減することができる。
【００４１】
上記実施形態では、エレベータドア敷居溝の異物排出装置６０を、乗り場扉２０に設置した例を挙げて説明したが、乗りかご１４の開閉扉１４ｂに設置するようにしてもよい。
【００４２】
図９は、上述した異物排出装置６０の変形例であるエレベータドア敷居溝の異物排出装置８０の構成を示す図である。以下の説明において、異物排出装置６０と同一の構成については説明を適宜省略し、構成の異なる部分についてのみ説明を行うものとする。また、異物排出装置６０と同一の構成部分については同一の符号を付して説明を行う。
【００４３】
異物排出装置８０の排出ベルト６６は、敷居８１の右側敷居溝８２を覆うように配置されている。排出ベルト６６は、右側敷居溝８２の上端部に形成されたガイド溝としての機能を有する窪み８４に幅方向の両端部が嵌り込むように設けられている。この窪み８４は、敷居８１の長手方向に沿って形成されており、その深さは排出ベルト６６の厚みよりも多少深くなるように形成されている。このため、敷居８１の上面および排出ベルト６６の上面の段差が目立たたないすっきりとした外観を形成することができる。また、排出ベルト６６の上面は、敷居８１の上面よりも低いため排出ベルト６６が利用客に踏まれることがなく、排出ベルト６６の摩耗を低減することができる。また、排出ベルト６６の直下方の右側敷居溝８２には、ドアシュー８６ｂが配置されている。このドアシュー８６ｂの上下方向の長さは、右側敷居溝８２に配置した状態で排出ベルト６６の下面に接触する長さとなるように形成されており、上記実施形態におけるドアシュー４４ｂと同一の機能を有している。
【００４４】
なお、本発明に係るエレベータドア敷居溝の異物排出装置によれば、上述した実施形態およびその変形例の構成に限定されるものではなく、本願の特許請求の範囲に記載された事項およびその均等の範囲内で種々の改良や変更が可能であることはいうまでもない。
【符号の説明】
【００４５】
１０  エレベータ、２０  乗り場扉、２２  右扉、２４  左扉、４４ａ，４４ｂ，８６ｂ  ドアシュー、５２，８２  右側敷居溝、５４  左側敷居溝、５６  敷居カバー、６０，８０  エレベータドア敷居溝の異物排出装置、６１  右側排出ベルトユニット、６２  左側排出ベルトユニット、６３，６４  返しローラ、６６  排出ベルト、６６ａ，６６ｂ  開口部、８４  窪み、Ｈ  乗り場、Ｓ  昇降路、Ｗ  壁面。
【図１】
2016204139.tif 000003
【図２】
2016204139.tif 000004
【図３】
2016204139.tif 000005
【図４】
2016204139.tif 000006
【図５】
2016204139.tif 000007
【図６】
2016204139.tif 000008
【図７】
2016204139.tif 000009
【図８】
2016204139.tif 000010
【図９】
2016204139.tif 000011